(57)【要約】  様々な例示的な実施形態において、熱による毛髪損傷度を決定する方法が提供される。この方法は、毛髪サンプルをＵＶまたはＵＶ／ＶＩＳ光に曝露している間に、該毛髪サンプルと相互作用するＵＶまたはＵＶ／ＶＩＳ光の少なくとも一部のスペクトルを記録すること、スペクトルの少なくとも一部を、ＵＶまたはＵＶ／ＶＩＳスペクトルと、複数のキャリブレーション毛髪サンプルの熱損傷度とを用いて得られる分光学的キャリブレーションモデルと比較すること、および、該比較を含めた、熱による毛髪損傷度の決定を含み得る。
2020533577.tif 000002
【特許請求の範囲】
【請求項１】
熱による毛髪損傷度を決定する方法であって、
毛髪サンプルをＵＶまたはＵＶ／ＶＩＳ光に曝露している間に、該毛髪サンプルと相互作用したＵＶまたはＵＶ／ＶＩＳ光の少なくとも一部のスペクトルを記録すること；
スペクトルの少なくとも一部を、ＵＶまたはＵＶ／ＶＩＳスペクトルと、複数のキャリブレーション毛髪サンプルの熱損傷度とを用いて得られる分光学的キャリブレーションモデルと比較すること；および、
前記比較を用いて熱による毛髪損傷度を決定すること
を含む方法。
【請求項２】
複数のキャリブレーション毛髪サンプルに対して、
キャリブレーション毛髪サンプルをＵＶ／ＶＩＳ光に曝露している間に、該キャリブレーション毛髪サンプルと相互作用したＵＶ／ＶＩＳ光の少なくとも一部のキャリブレーションスペクトルを記録すること；
独立した方法によりキャリブレーション毛髪サンプルの熱による毛髪損傷度を決定すること；および
キャリブレーションスペクトルに毛髪損傷度を割り当てること
を含む、キャリブレーションモデルの作成；並びに、
複数のキャリブレーションスペクトルと複数の熱による毛髪損傷度との間の相関関係を決定すること
をさらに含む、請求項１に記載の方法。
【請求項３】
独立した方法はトリプトファン含量を測定することを含む、請求項２に記載の方法。
【請求項４】
トリプトファン含量の測定は、クロマトグラフィー法または比色法を含む、請求項３に記載の方法。
【請求項５】
ＵＶまたはＵＶ／ＶＩＳ光の少なくとも一部が約２８０ｎｍ付近の、好ましくは２７０〜２９０ｎｍの間の波長範囲を有する、請求項１〜４のいずれかに記載の方法。
【請求項６】
毛髪サンプルおよび／またはキャリブレーション毛髪サンプルの曝露は、約２８０ｎｍ付近の、好ましくは２７０〜２９０ｎｍの間の波長範囲を有するＵＶまたはＵＶ／ＶＩＳ光により行われる、請求項１〜５のいずれかに記載の方法。
【請求項７】
複数のキャリブレーション毛髪サンプルに対して、
キャリブレーション毛髪サンプルをＵＶ／ＶＩＳ光に暴露している間に、該キャリブレーション毛髪サンプルと相互作用したＵＶ／ＶＩＳ光の少なくとも一部のキャリブレーションスペクトルを取得すること；
各検出波長に対するスペクトルにおいて検出されたＵＶまたはＵＶ／ＶＩＳ光の強度に対する、キャリブレーション毛髪サンプルに曝露されたＵＶまたはＵＶ／ＶＩＳ光の強度の強度比を決定し、
独立した方法によりキャリブレーション毛髪サンプルの熱による毛髪損傷度を決定すること；および
キャリブレーションスペクトルに毛髪損傷度を割り当てること
を含む、キャリブレーションモデルの作成；並びに、
複数のキャリブレーション比と複数の熱による毛髪損傷度との間の相関関係を決定すること
をさらに含む、請求項１に記載の方法。
【請求項８】
独立した方法が理論上の毛髪損傷期間の決定を含む、請求項７に記載の方法。
【請求項９】
ＵＶまたはＵＶ／ＶＩＳ光の少なくとも一部が３００〜３５０ｎｍの波長範囲を有する、請求項７または８に記載の方法。
【請求項１０】
毛髪サンプルおよび／またはキャリブレーション毛髪サンプルの曝露は２５０〜３００ｎｍの波長範囲を有するＵＶまたはＵＶ／ＶＩＳ光により行われる、請求項７〜９のいずれかに記載の方法。
【請求項１１】
熱による毛髪損傷度を測定するための装置であって、
毛髪サンプルをＵＶまたはＵＶ／ＶＩＳ光に曝露するためのＵＶ光源またはＵＶ／ＶＩＳ光源；
毛髪サンプルと相互作用するＵＶまたはＵＶ／ＶＩＳ光の少なくとも一部のスペクトルを記録するための分光計；および
ＵＶまたはＵＶ／ＶＩＳスペクトルと、複数のキャリブレーション毛髪サンプルの熱による毛髪損傷度とを用いて得られる分光学的キャリブレーションモデルを保存するデータメモリ、および、少なくとも一部のスペクトルを分光学的キャリブレーションモデルと比較し、該比較を用いて熱による毛髪損傷度を決定するためのプロセッサを有するデータ処理装置
を含んでなる装置。
【請求項１２】
ＵＶまたはＵＶ／ＶＩＳ光源および分光計は統合ユニットを形成する、請求項１１に記載の装置。
【請求項１３】
統合ユニットおよび／またはデータ処理装置はモバイルデバイスである、請求項１１または１２に記載の装置。
【請求項１４】
個別のトリートメント指令を決定する方法であって、
請求項１〜１０のいずれかに記載の方法に従い、個別の熱による毛髪損傷度を決定すること；および
決定された熱による毛髪損傷度に応じて、コンピュータを利用して個別のトリートメント指令を決定すること
を含む方法。
【請求項１５】
個別の処理指令が、ブリーチ製品および／または染色剤および／またはヘアケア製品および／またはヘアスタイリング製品の提案を含む、請求項１４に記載の方法。
【発明の詳細な説明】
【技術分野】
【０００１】
本発明は、毛髪に対する熱損傷度を決定するための方法および装置、並びに、毛髪トリートメントのためのユーザー固有の製品を決定するための方法に関する。
【背景技術】
【０００２】
毛髪を化粧品で処理する場合、例えば、着色の強さなどの製品の効果は、毛髪に対する損傷程度に強く依存し得る。
【０００３】
したがって、毛髪に対する損傷の測定は非常に重要である。
【０００４】
毛髪は、自然にまたは人工的な処理によって損傷を受け得る。重要な種類の損傷は熱損傷である。
【０００５】
ヘアドライヤーで湿った毛髪を乾燥させる場合、特に矯正アイロンまたはカーリングトングにより半永久的にヘアスタイリングする場合、高温（最大２４０℃）が毛髪に作用する。特に、以前に損傷した毛髪はそのような高温によって激しく（さらに）損傷し得る。
【０００６】
損傷のプロセスは、アミノ酸の分解、例えば、毛髪においてしばしば見られるアミノ酸トリプトファンとその酸化生成物（キヌレニン）の分解により生じ得る。
【０００７】
毛髪に対する化学的損傷に加えて、例えば毛髪のクチクラにおける亀裂の形態で物理的損傷も起こり得る。
【０００８】
毛髪のこれらの構造的および化学的損傷は、毛髪をもろくし、コーミング中の毛髪破損を増加させ、コーミング作業の増加を引き起こし得る。
【０００９】
学術および産業部門において研究者または開発者は、熱損傷度を決定するために、例えば熱損傷度の定量的測定など様々な物理的および化学的分析方法を自由に利用できる。
【００１０】
アミノ酸の含量を決定するために、高速液体クロマトグラフィー（ＨＰＬＣ）などのクロマトグラフィー法を使用し得る。しかしながら、これらは最初に、毛髪サンプルの複雑な酸性、塩基性または酵素的加水分解消化を必要とする。あるいは、比色法を使用してもよい。
【発明の概要】
【発明が解決しようとする課題】
【００１１】
しかしながら、これらの方法はすべて複雑で高価なため、エンドユーザーは利用できない。
【００１２】
ヘアカラーリング、熱処理、パーマ、またはブリーチなどの酸化処理などの損傷を与える美容処理は、通常、民間部門または最終消費者への商業サービスの分野で行われる。（熱的に）以前に損傷した毛髪に他の損傷方法を実行すると、壊滅的な結果や完全な毛髪の破損につながる可能性があるが、例えば定量的に、毛髪への先の熱損傷度を決定することはできなかった。
【００１３】
また、製品ユーザーは個々のニーズに合わせた製品をますます求めている。このことは、皮膚および／または毛髪のトリートメント製品などの化粧品に特に当てはまる。
【課題を解決するための手段】
【００１４】
様々な例示的な実施形態において、使用が容易であり、ＵＶ分光法またはＵＶ／ＶＩＳ分光法の使用により毛髪に対する熱損傷度を正確に決定できる方法および対応する装置が提供される。
【図面の簡単な説明】
【００１５】
【図１】図１は、種々の例示的な実施形態に係る熱による毛髪損傷度を決定する方法の概略図を示す。
【発明を実施するための形態】
【００１６】
様々な例示的な実施形態において、モバイルデータ処理装置、例えば、スマートフォン、タブレットまたはラップトップは、新規の小型化されたＵＶセンサーまたはＵＶ／ＶＩＳセンサーを使用することにより簡単な実験手順で装置および方法として使用し得る。
【００１７】
さらに、個々の毛髪トリートメント指令を決定するための方法が、様々な例示的な実施形態で提供され、それによりエンドユーザーは、例えば、毛髪のアミノ酸の含量を介して熱損傷の程度を容易に決定し、この目的に合わせた毛髪トリートメント指令を得ることができる。
【００１８】
ＵＶスペクトルまたはＵＶ／ＶＩＳスペクトルは、様々な例示的な実施形態において得られ得る。ＵＶスペクトルまたはＵＶ／ＶＩＳスペクトルは、例えば吸収スペクトルまたは蛍光スペクトルであり得る。
【００１９】
例えば、熱による毛髪損傷は、トリプトファンおよびキヌレニンに特徴的な吸収スペクトルの２８０ｎｍでの吸収帯における減少によるトリプトファンおよび／またはキヌレニン含量の減少の形態で決定され得る。
【００２０】
数学的モデルを適用することにより、数学的モデルは別の方法により決定された熱損傷度を有するキャリブレーション毛髪サンプルを測定することにより作成することができ、それにより、例えば、記録されたＵＶまたはＵＶ／ＶＩＳスペクトルに基づいて、消費者の毛髪サンプル（ブレイドとも呼ばれる）におけるトリプトファンおよび／またはキヌレニンの含量およびその結果としての毛髪損傷など、熱損傷度の計算が可能となる。スペクトルの分析およびモデルの適用は、（適切なアプリを使用した）スマートフォン、タブレットまたはスマートミラーなどで実行できる。
【００２１】
様々な例示的な実施形態において、熱による毛髪損傷度を決定する方法が提供される。この方法は、毛髪サンプルをＵＶまたはＵＶ／ＶＩＳ光に曝露する間に、該毛髪サンプルと相互作用したＵＶまたはＵＶ／ＶＩＳ光の少なくとも一部のスペクトルを記録し、スペクトルの少なくとも一部を、ＵＶまたはＵＶ／ＶＩＳスペクトルと、複数のキャリブレーション毛髪サンプルの熱損傷度とを用いて得られる分光学的キャリブレーションモデルと比較して、該比較を用いて熱による毛髪損傷度を決定することを含み得る。
【００２２】
この方法は、時間のかかるサンプル調製なしで、例えば毛髪サンプル中のトリプトファンおよび／または他の成分の含量を測定することにより、熱による毛髪損傷度の直接的で非破壊な測定を可能にする。
【００２３】
この方法により、結果により早く到達し得る。さらに、測定後に毛髪にさらなるトリートメントを施すことが可能であり、その結果、１つの毛髪の房に複数の適用を行い得る。
【００２４】
さらに、毛髪サンプルを採取する必要がなく、例えば頭部に直接、様々な毛髪位置（例えば頭皮に近い毛髪および頭皮から遠い毛髪）で比較的容易な測定を実行することが可能であり得る。
【００２５】
口語でしばしば紫外光（ＵＶ光）と呼ばれる紫外線（ＵＶ放射線）は、１０〜３８０ｎｍの波長範囲の電磁放射線である。この波長範囲内では、３１５〜３８０ｎｍの波長範囲を有する「近紫外線」（ＵＶ−Ａ）と、２８０〜３１５ｎｍの波長範囲を有する「中紫外線」（ＵＶ−Ｂ）、２００〜２８０ｎｍの波長範囲を有する「遠紫外線」（ＵＶ−Ｃ−ＦＵＶ）、１００〜２００ｎｍの波長範囲を有する「真空紫外線」（ＵＶ−Ｃ−ＶＵＶ）、および１０〜１２１ｎｍの波長範囲を有する「極端紫外線（ＥＵＶ）」に区別される。
【００２６】
電磁スペクトルにおいて、可視光（ＶＩＳ）の範囲は３８０ｎｍ〜７８０ｎｍの波長を含む。
【００２７】
様々な例示的な実施形態において、毛髪サンプルが曝露されるＵＶ光またはＵＶ／ＶＩＳ光は、２００〜５００ｎｍの波長範囲、特に好ましくは２５０〜４００ｎｍ、非常に好ましくは２５０〜３５０ｎｍの波長範囲を有し得る。特に、毛髪サンプルが曝露されるＵＶ光またはＵＶ／ＶＩＳ光は、約２８０ｎｍ付近、好ましくは２７０〜２９０ｎｍの間の波長範囲を有することが好適であり得る。
【００２８】
様々な例示的な実施形態において、前記方法は、キャリブレーションモデルの作成（キャリブレーションモデルの作成は、複数のキャリブレーション毛髪サンプルに対して、キャリブレーション毛髪サンプルをＵＶ／ＶＩＳ光に曝露している間に、該キャリブレーション毛髪サンプルと相互作用したＵＶ／ＶＩＳ光の少なくとも一部のキャリブレーションスペクトルを記録すること、独立した方法によりキャリブレーション毛髪サンプルの熱による毛髪損傷度を決定すること、および、キャリブレーションスペクトルに毛髪損傷度を割り当てることを含み得る）および複数のキャリブレーションスペクトルと複数の熱損傷度との間の相関関係を決定することをさらに含んでいてよい。
【００２９】
様々な例示的な実施形態において、熱による毛髪損傷度を決定するための独立した方法は、トリプトファンおよび／またはキヌレニン含量を決定することを含み得る。独立した方法は、クロマトグラフィー法または比色法であり得る。独立した方法は、好ましくは、トリプトファン含量を決定するためのクロマトグラフィー法であり得る。
【００３０】
これらの例示的な実施形態において、相互作用がＵＶまたはＵＶ／ＶＩＳ光の吸収を含むことが有利であり得る。毛髪サンプルおよび／またはキャリブレーション毛髪サンプルが曝露されるＵＶ光またはＵＶ／ＶＩＳ光が約２８０ｎｍ付近の波長範囲を有し、ＵＶまたはＵＶ／ＶＩＳ光の少なくとも一部が約２８０ｎｍ付近の波長範囲を有することが特に好ましい。
【００３１】
また、相互作用は、反射、散乱、透過および／または蛍光を含み得る。
【００３２】
様々な例示的な実施形態において、前記方法は、キャリブレーションモデルの作成（キャリブレーションモデルの作成は、複数のキャリブレーション毛髪サンプルに対して、キャリブレーション毛髪サンプルをＵＶ／ＶＩＳ光に暴露している間に、該キャリブレーション毛髪サンプルと相互作用したＵＶ／ＶＩＳ光の少なくとも一部のスペクトルを取得すること、各検出波長に対するスペクトルにおいて検出されたＵＶまたはＵＶ／ＶＩＳ光の強度に対する、キャリブレーション毛髪サンプルに曝露されたＵＶまたはＵＶ／ＶＩＳ光の強度の強度比を決定すること、独立した方法によりキャリブレーション毛髪サンプルの熱による毛髪損傷度を決定すること、および、キャリブレーションスペクトルに毛髪損傷度を割り当てることを含み得る）および複数のキャリブレーション比と複数の熱損傷度との間の相関関係を決定することをさらに含んでいてよい。
【００３３】
様々な例示的な実施形態において、熱による毛髪損傷度を決定するための独立した方法は、理論上の毛髪損傷期間を決定することを含み得る。
【００３４】
これらの例示的な実施形態において、キャリブレーション毛髪サンプルは、特定の期間（例えば０〜２４０分）の時系列試験において、１８０℃を超える、好ましくは２００℃の温度に曝される。規定された時間間隔において、キャリブレーション毛髪サンプルにＵＶ光またはＵＶ／ＶＩＳ光が照射される。キャリブレーション毛髪サンプルと相互作用したＵＶまたはＵＶ／ＶＩＳ光の少なくとも一部が検出される。次いで、検出されたＵＶまたはＵＶ／ＶＩＳ光の強度に対する照射されたＵＶまたはＵＶ／ＶＩＳ光の強度の比が、各検出波長に対して決定される。これは、それぞれの熱損傷度に特徴的な、反射および／または放出および／または透過および／または散乱されたＵＶまたはＶＩＳ光に対する照射されたＵＶまたはＵＶ／ＶＩＳ光の強度比をもたらす。
【００３５】
様々な例示的な実施形態において、毛髪サンプルおよび／またはキャリブレーション毛髪サンプルと相互作用したＵＶまたはＵＶ／ＶＩＳ光の少なくとも一部は、２００〜６００ｎｍ、より好ましくは３００〜４００ｎｍ、非常に特に好ましくは３００〜３５０ｎｍの波長範囲を有し得る。
【００３６】
様々な例示的な実施形態において、熱による毛髪の損傷度を決定するための装置が提供される。前記装置は、毛髪サンプルをＵＶまたはＵＶ／ＶＩＳ光に曝露するためのＵＶ光源またはＵＶ／ＶＩＳ光源、毛髪サンプルと相互作用したＵＶまたはＵＶ／ＶＩＳ光の少なくとも一部のスペクトルを記録するための分光計、および、複数のキャリブレーション毛髪サンプルを用いて得られる分光学的キャリブレーションモデルを保存するデータメモリ、および、少なくとも一部のスペクトルを分光学的キャリブレーションモデルと比較し、該比較を参照して熱による毛髪損傷度を決定するためのプロセッサを有するデータ処理装置を含み得る。
【００３７】
ＵＶ光源は、例えば、Ｅｉｇｅｎ  Ｉｍａｇｉｎｇ  Ｉｎｃ製のＵＶ  ＬＥＤ光モジュール「ＦｌｕｏｒｏＶｕ」であってよい。
【００３８】
様々な例示的な実施形態において、ＵＶまたはＵＶ／ＶＩＳ光源および分光計は、統合ユニットを形成し得る。
【００３９】
２００〜８５０ｎｍの波長範囲で作動する適当な小型化されたＵＶ／ＶＩＳ分光計は、Ｏｃｅａｎ  Ｏｐｔｉｃｓ、Ｉｎｃ．からＵＳＢ２０００＋ＵＶ−ＶＩＳの名称で入手し得る。
【００４０】
様々な例示的な実施形態において、統合ユニットおよび／またはデータ処理装置は、モバイルデバイスであり得る。
【００４１】
様々な例示的な実施形態において、ＵＶまたはＵＶ／ＶＩＳ光源および分光計は、好ましくはモバイル、データ処理装置、特にスマートフォンまたはタブレットに統合されてもよい。あるいは、ＵＶまたはＵＶ／ＶＩＳ光源および分光計は、例えば適当なコネクタによって、好ましくはモバイル、データ処理装置に物理的に接続され得る統合ユニットを形成し得る。
【００４２】
様々な例示的な実施形態において、決定された熱損傷度に応じて、個別の、すなわちユーザー固有のトリートメント指令を決定するための方法が提供される。
【００４３】
様々な実施形態によれば、個別のトリートメント指令は、ブリーチ製品および／または染毛剤および／またはヘアケア製品および／またはヘアスタイリング製品の提案を含み得る。個別のトリートメント指令がヘアケア製品および／またはヘアスタイリング製品の提案を含むことが特に好ましい。
【００４４】
前記提案は、ブリーチ製品および／または染毛剤および／またはヘアケア製品および／またはヘアスタイリング製品の特定の製品名および／または製品画像の表示またはアナウンスを含み得る。また、提案は、製品ラインまたはシリーズ（名称、テキストおよび／または画像）、特にブリーチ製品ライン／シリーズおよび／または染毛剤ライン／シリーズおよび／またはヘアケア製品ライン／シリーズおよび／またはヘアスタイリング製品ライン／シリーズ、製造者の表示および／またはアナウンスを含み得る。
【００４５】
提案されるブリーチ製品および／または染毛剤および／またはヘアケア製品および／またはヘアスタイリング製品は、決定された毛髪に対する熱損傷度に合致する成分を含むことが好ましい。提案されるブリーチ製品および／または染毛剤および／またはヘアケア製品および／またはヘアスタイリング製品は、ヒートプロテクションをもたらすことが特に好ましい。ヒートプロテクションは、例えば、ヘアトリートメント製品において被膜形成ポリマーおよび／またはポリシロキサンを使用することにより達成され得る。特に、オクチルアクリルアミド／アクリレート／ブチルアミノエチルメタクリレートコポリマー（ＩＮＣＩ）を被膜形成ポリマーとして使用することができる。適当なポリシロキサンには、特に、ＰＥＧ−１４ジメチコン（ＩＮＣＩ）が含まれる。
【００４６】
したがって、提案されるブリーチ製品および／または染毛剤および／またはヘアケア製品および／またはヘアスタイリング製品は、被膜形成ポリマー、ポリシロキサンおよびそれらの混合物からなる群から選択される成分を含むことが好ましい。
【００４７】
この方法の別の実施形態において、個別のトリートメント指令は、ブリーチおよび／または酸化染色および／または永久変形および／または熱処理を特定の期間控えるようにとの提案を含む。そのような個別のトリートメント指令は、特に、熱による毛髪損傷度が「非常に重度」および／または「重度」として相対的に分類される場合に与えられてもよい。
【００４８】
方法のさらなる有利な実施形態において、個別のトリートメント指令は、方法のユーザーおよび／または個人が、ＱＲコード、ＮＦＣチップ、バーコードまたはＲＦＩＤチップにより識別するヘアトリートメント製品についての助言またはその使用についての助言からなる。
【００４９】
この方法の実施形態において、方法のユーザー、例えば美容師またはヘアトリートメント製品の販売場所にいる他の人は、熱損傷度を決定した後、ヘアトリートメント製品自体またはそれらが保管される場所、例えば美容院の棚またはヘアトリートメント製品の販売場所に取り付けられたＱＲコード、ＮＦＣチップ、バーコードまたはＲＦＩＤチップを介して適切なまたは不適切なヘアトリートメント製品を決定することができる。
【００５０】
ＱＲコード、ＮＦＣチップ、バーコード、またはＲＦＩＤチップにより、ワイヤレスで情報を送信できる。
【００５１】
バーコードは、異なる幅の平行線とスペースで構成される、光電子的に読み取り可能なフォントである。バーコードのデータは、バーコードリーダー（スキャナー）またはカメラなどの光学読み取りデバイスを用いる機械によって読み取られ、電子的に処理される。多くのスマート端末には、スマート端末のデジタルカメラがデータを捕らえ、コード情報をデコードされた形式ですぐにユーザーに表示できるようにするソフトウェアが備わっている。
【００５２】
ＱＲコード（「Ｑｕｉｃｋ  Ｒｅｓｐｏｎｓｅ」）は、エンコードされたデータをバイナリ形式で表す、黒と白の正方形の正方行列で構成される２次元コードである。スマート端末には通常、カメラが内蔵されている。ＱＲコードを撮影した後、ソフトウェアを使用してＱＲコードを読み取り／解読する。
【００５３】
ＮＦＣチップとＲＦＩＤチップは、送受信システムである。この場合、少なくとも１つの通信パートナーがアクティブである、つまり通信を刺激する必要がある。他のパートナーは、例えば、電源のないチップであってもよい。この受動部分はトランスポンダ（＝トランスミッタ＋レスポンダ）とも呼ばれる。例えば、アクティブな通信パートナーとしてのスマート端末とトランスポンダ／チップとの間のアクティブ−パッシブ通信に加えて、アクティブ−アクティブ通信も可能である。
【００５４】
カップリング／励起は、アクティブな通信パートナーまたは高周波電波によって生成される短距離の交番磁場の影響を受ける。これはデータを転送するだけでなく、トランスポンダにエネルギーを供給する。例えば、スマート端末などのアクティブな通信パートナーには、実際の読み取りプロセスを制御するソフトウェアと、他の（モバイル）データ処理装置やデータベースへのインターフェースを備えた、いわゆるミドルウェアが含まれる。
【００５５】
ＲＦＩＤ（「無線周波数識別」）は電波を介して機能する。ＲＦＩＤ技術は、主にストレージ容量、製造プロセス、コスト、周波数域および範囲が異なる広範なチップおよびリーダーを含む。
【００５６】
ＮＦＣ（「近距離無線通信」）は、ＲＦＩＤ技術の標準化された専門分野であり、特に短距離（最大１０ｃｍ）でのデータ伝送用に開発された。
【００５７】
例えば、ＱＲコード、ＮＦＣチップ、バーコードまたはＲＦＩＤチップには、熱損傷度に対応する毛髪トリートメント製品が適切であるか適切でないかの情報が含まれ得る。
【００５８】
個別のトリートメント指令を決定する方法は、決定された毛髪トリートメント製品（ブリーチ製品および／または染毛剤および／またはヘアケア製品および／またはヘアスタイリング製品）のオンライン注文プロセスを開始すること、および／または、決定された毛髪トリートメント製品（ブリーチ製品および／または染毛剤および／またはヘアケア製品および／またはヘアスタイリング製品）を入手し得る場所の表示を提供することを含み得る。
【００５９】
この方法の別の実施形態において、個別のトリートメント指令は、ユーザーのために個別に製造されるブリーチ製品および／または染毛剤および／またはヘアケア製品および／またはヘアスタイリング製品の使用についてのユーザーへの助言、および、好ましくは、個別のブリーチ製品および/または個別の染毛剤および/または個別のヘアケア製品および/または個別のヘアスタイリング製品の製造業者のインターネットサイトを呼び出すことによる注文プロセスの開始からなる。
【００６０】
ますます多くの顧客が、ニーズに合わせて個別に調整された製品を求めている。これは、顧客向けに特別に製造された製品、またはいわゆる「マスカスタマイズ」製品であり得る。マスカスタマイズ製品の場合、個別化は、顧客の視点から決定的な製品のいくつかの特徴を変更することにより達成し得る。これらのマスカスタマイズ製品は、モジュール化の概念に基づいていることが好ましく、これは、製品を様々なモジュール／コンポーネントから個別に組み立て得ることを意味する。
【００６１】
多くの異なる製品特性／製品成分間には、「命令」または「禁止」として表現され得る多数の相互依存関係があることが多い。明確な製品定義を得るには、注文プロセスに製品コンフィギュレータを使用することが有利であり得る。このコンフィギュレータは、顧客が特性／成分を選択するために、および、特性の許容される／許容されない組み合わせを指摘するために役立ち、これにより後者は選択されないであろう。
【００６２】
ブリーチ製品、染毛剤、ヘアケア製品およびヘアスタイリング製品の場合、関連する製品特性には、特に製品の化学成分、製品の物理的特性、および製品のパッケージタイプが含まれる。製品コンフィギュレータの助けにより、例えば、化学的および／または物理的に適合しない成分の選択、または決定された熱による毛髪損傷の程度に適さない成分の選択を回避することができる。逆に、決定された熱による毛髪損傷の程度に適した成分の選択が、製品コンフィギュレータにより特定または提案され得る。
【００６３】
様々な例示的な実施形態において、熱によるある程度の毛髪損傷に対して美容院への訪問が推奨されてもよい。様々な例示的な実施形態において、熱損傷度を決定するソフトウェア／アプリを介して予約プロセスが直接開始されてもよい。この目的のために、美容院の連絡先データをソフトウェア／アプリに保存し、ユーザーに表示してもよい。さらに、選択は、例えば郵便番号などのフィルターを介して制限されてもよい。また、美容院の予約は、Ｔｒｅａｔｗｅｌｌなどの別のソフトウェア／アプリを介して行ってもよい。
【００６４】
したがって、個別のトリートメント指令は、美容師の予約の推奨および指名予約プロセスの開始を含み得る。
【００６５】
個別のトリートメント指令を保存し、長期推奨のためのその後の方法において使用することも好ましい。
【００６６】
さらなる実施形態において、個別のトリートメント指令がユーザーに出される前に、（モバイル）データ処理装置、特にスマートフォンまたはタブレットとクラウド内に保存されたデータとの間でデータ調整が行われる。このデータには、例えば、同じまたは類似の熱による毛髪損傷度を有するユーザーからのデータ、および、該当する場合、他の同じまたは類似の毛髪パラメータ、および成功的トリートメントに関してそこから導き出される推奨事項／測定値および経験値が含まれ得る。他のユーザーの経験を取り入れ、個別のトリートメント指令を決定する方法にデータを含めることによってクラウド内のデータを更新することにより、ユーザーに対して最適なトリートメント指令を常に決定することができる。
【００６７】
様々な例示的な実施形態において、一般的な健康状態、栄養習慣、およびユーザーの他の行動（例えば、毎日の屋外／日光／水時間、喫煙習慣、スポーツ習慣など）に関する情報を、個別のトリートメント指令を決定するために用いてもよい。
【００６８】
熱による毛髪損傷度の決定および／または個別のトリートメント指令の決定は、タブレット、ラップトップ、スマートミラーまたはスマートフォンのアプリ／ソフトウェアを用いて実行し得る。したがって、アプリは「モバイルアプリ」（モバイルデバイス用のアプリケーションソフトウェア）、ウェブアプリ（クライアントサーバーモデルによるアプリケーションソフトウェア）またはデスクトップアプリ（デスクトップコンピュータ用のアプリケーションソフトウェア）であり得る。
【００６９】
様々な例示的な実施形態において、熱による毛髪損傷度を決定するソフトウェア／アプリは、個別のトリートメント指令を決定するものと同じであってよい。様々な例示的な実施形態において、異なるソフトウェア／アプリを異なる手順の一部またはすべてに使用してもよい。
【００７０】
本発明の例示的な実施形態を、図により表し、以下においてより詳細に説明する。
【００７１】
本発明の保護範囲から逸脱することなく、他の実施形態が使用することができ、構造的または論理的変更を行い得ることが理解される。本明細書に記載される様々な例示的な実施形態の特徴は、特段の記載がない限り、互いに組み合わせることができることが理解される。したがって、以下の詳細な説明は、限定的な意味で理解されるべきではなく、本発明の保護範囲は、添付の特許請求の範囲によって定義される。
【００７２】
図１は、図１００において、種々の例示的な実施形態に係る熱による毛髪損傷度を決定する方法の概略図を示す。
【００７３】
種々の例示的な実施形態によれば、毛髪サンプル１０２Ｐは、ユーザーの毛髪１０２の熱損傷度を決定するために検査され得る。毛髪サンプル１０２Ｐは、頭部にそのまま残ってもよいし、除去されてもよい。毛髪サンプル１０２Ｐは、ユーザーの頭皮からの距離１０２ＰＬに配置され得るか、またはユーザーの頭皮から除去され得る。毛髪サンプル１０２Ｐは、（例えば、平らに広げられた）毛髪サンプル１０２Ｐによって覆われ得る最小面積（例えば、少なくとも１ｃｍ２）として、または最小重量（例えば、少なくとも０．５ｇ）として表現され得る、最小量の毛髪を有し得る。
【００７４】
様々な例示的な実施形態において、図１において例示概略的に図１００に示すように、装置を使用して毛髪１０２の熱毛髪損傷度を決定することができる。
【００７５】
様々な例示的な実施形態において、毛髪サンプル１０２Ｐは、ＵＶまたはＵＶ／ＶＩＳ光１１０を有する光源１０６によって照射され、分析される光１１２として指定された毛髪サンプル１０２と相互作用した後、光１１０が分光計１０８に入る少なくとも１つの相互作用領域で覆われるように広げられ得る。
【００７６】
様々な例示的な実施形態において、毛髪サンプル１０２Ｐは、ＵＶ光１１０またはＵＶ／ＶＩＳ光１１０で照射されてもよい。ＵＶ光１１０は、２００〜３８０ｎｍの波長範囲、または少なくともその適切な部分範囲（例えば、２５０〜３００ｎｍ）をカバーし得る。ＵＶ／ＶＩＳ光１１０は、２００〜５００ｎｍの波長範囲、または少なくともその適切な部分範囲（例えば２５０〜４００ｎｍ）をカバーし得る。
【００７７】
様々な例示的な実施形態において、ＵＶまたはＵＶ／ＶＩＳ光１１０の光源１０６は、例えば、ＵＶランプまたはＵＶ／ＶＩＳランプ、または適切な光スペクトルを提供する任意の他の従来の光源であってよい。
【００７８】
ＵＶまたはＵＶ／ＶＩＳ分光装置の飛躍的な進歩により、それらは小型化された形態、例えばモバイル、統合要素として光源１０６と分光計１０８とを含み得るユニットとしての形態で提供され得る。
【００７９】
様々な例示的な実施形態において、スペクトルはデータ処理装置１１６に送信され得る。データ送信は、参照符号１１４で記載される。送信は、例えばデータケーブル（例えばＵＳＢ）、ワイヤレスデータ送信（Ｂｌｕｅｔｏｏｔｈ、ＷＬＡＮ（Ｗｉ−Ｆｉ）、スレッド、ＺｉｇＢｅｅ若しくは近距離無線通信（ＮＦＣ）など）を用いた既知の方法で行ってもよく、または、分光計（場合により光源）がデータ処理装置（例えば、スマートフォン、タブレット、ラップトップまたはスマートミラー）の一部である場合、または（例えば、適切なコネクタにより）データ処理装置に取り外し可能に取り付けられる場合、あるいは、逆に、分光計１０８が、統合データ処理装置１１６を考慮して設計される場合、送信は装置内で行われてもよい。
【００８０】
データを受信して処理し、モデリングするために、様々な例示的な実施形態においてデータ処理装置は、適切なソフトウェア、例えばアプリを備えていてもよい。
【００８１】
様々な例示的な実施形態において、記録されたＵＶまたはＵＶ／ＶＩＳスペクトルは、上述のように毛髪サンプルのトリプトファン含量を測定するためにキャリブレーションモデルと併せて使用され得る。
【００８２】
様々な例示的な実施形態において、毛髪サンプルの理論上の損傷期間はキャリブレーションモデルとともに記録されたＵＶまたはＵＶ／ＶＩＳスペクトルを使用して、上記のように決定され得る。
【００８３】
様々な例示的な実施形態において、熱による毛髪損傷度はカテゴリスケール（例えば、低い、中程度、高い、非常に高い）において決定し得る。
【００８４】
様々な例示的な実施形態において、熱による毛髪損傷度は測量的スケール（例えば、任意の単位の数値、トリプトファン含量の割合または損傷の割合）において決定し得る。
【００８５】
様々な例示的な実施形態において説明した熱による毛髪損傷度を決定するための方法は、データ処理装置１１６を用いて実行してもよい。
【００８６】
データ処理装置には、図１に関連して上述したように、例えばスマートフォン、タブレット若しくはラップトップなどのモバイルデータ処理装置だけでなく、スマートミラーなどのその他のコンピュータ、またはデータを保存および提供し、比較を行いモデルを適用し、必要に応じてモデルを作成する、十分に大きなデータメモリと十分に強力なプロセッサを備えたデータ処理装置などの任意の他のデータ処理装置が含まれる。
【００８７】
様々な例示的な実施形態において、データ処理装置は、データ処理装置に情報を入力するための、例えば、キャリブレーションのために測定したトリプトファン含量を入力するための、および必要に応じて、方法を実行するための指示、パラメータ、ユーザーデータなどを入力するための少なくとも１つの入力装置を有し得る。
【００８８】
様々な例示的な実施形態において、少なくとも１つの入力装置は、タッチセンシティブスクリーン、マイクロフォンおよび／またはキーボードを含み得る。
【００８９】
様々な例示的な実施形態において、データ処理装置は、例えば方法の結果を出力するために、情報を出力するための少なくとも１つの出力装置を含み得る。
【００９０】
様々な例示的な実施形態において、少なくとも１つの出力デバイスは、（タッチセンシティブ）スクリーン、スピーカーおよび／またはプリンタを含み得る。
【００９１】
特に、熱による毛髪損傷度が複数の毛髪領域（例えば、根元、中間および／または先端）に対して決定される場合、ユーザーへの熱による毛髪損傷度の提供は、例えばディスプレイ、例えば（スマートフォン、タブレット、スマートミラーの（タッチセンシティブ）スクリーンなど）ディスプレイデバイスを出力装置として使用するグラフィック表示を含み得る。グラフィック表示においては、熱による毛髪損傷度に基づいたコーディングで複数の領域の決定された熱毛髪損傷度が、ユーザーの肖像（例えば、ユーザーの概略図または写真）に表示されてもよい。例えば、ユーザーのヘアスタイルの概略図においては、熱による毛髪損傷度が異なる領域は、種々の色および／またはパターン（例えば、熱による毛髪損傷度の低い領域は緑色に、熱による毛髪損傷度が高い領域は赤色など）により表示され得る。別の例においては、ユーザーの写真、例えばユーザーの毛髪やヘアスタイルを示すデジタル写真は、種々のパターンで覆われ得る（例えば、熱による毛髪の損傷が高い領域に対してドットパターン、熱による毛髪の損傷が低い領域に対してラインパターンなど）。また、スマートミラー上／内の髪のリアルタイム表示を使用して、決定された熱による毛髪損傷レベルを表示してもよい。
【００９２】
少なくとも1つの毛髪領域での熱による毛髪損傷度をグラフィック表示する場合、例えば大部分の毛髪領域では、熱による毛髪損傷度は、熱による毛髪損傷度が決定された領域についてのみ種々の例示的な実施形態で表示されてもよい。種々の例示的な実施形態においては、熱による毛髪損傷度が表示される領域は、例えば典型的な損傷分布パターンを考慮することによって、熱による毛髪損傷度が決定された毛髪領域を超えて推定されてもよい。
【００９３】
それに加えて、またはその代わりに、表示装置を出力装置として使用して、具体的なトリートメント指令を画像および／またはテキストメッセージとしてユーザーに提示することができる。例えば、ユーザーの熱損傷度に合わせた特定の製品の画像が表示されてもよい。
【００９４】
様々な例示的な実施形態において、少なくとも１つの出力装置はスピーカーであってもよく、および／または少なくとも１つの入力装置はスピーカーであってもよい。情報および／または音声コマンドの入力は、ユーザーの声によって影響を受ける。この場合、装置は音声認識用モジュール、好ましくは、例えばアマゾンのＡｌｅｘａ、グーグルのＧｏｏｇｌｅアシスタント、マイクロソフトのＣｏｒｔａｎａ、アップルのＳｉｒｉなどのインテリジェントパーソナルアシスタント（音声アシスタント）を有する。
【００９５】
様々な例示的な実施形態では、デバイスは・・・。
【００９６】
様々な例示的な実施形態において、そのような機能を提供する任意のプログラム（例えば、アプリ）をモデリングに使用してもよい。
【実施例】
【００９７】
実施例１
１．分光学的キャリブレーションモデル（理論上の毛髪損傷期間）
分光学的キャリブレーションモデルを決定するために、特定の幅（例えば５ｍｍ）の毛髪の房を時系列実験において最初に２００℃の熱に０〜１２０分間曝露する。１０分間隔で、各毛髪の房に２５０〜３００ｎｍの波長を有するＵＶ光を照射する。毛髪の房と相互作用した光は３００〜３５０ｎｍの波長範囲で検出される。次いで、検出されたＵＶ光に対する照射されたＵＶ光の比率が３００〜３５０ｎｍの範囲で決定される。これは、各熱損傷度の特徴である、反射および／または放出および／または透過および／または散乱されたＵＶ光に対する照射されたＵＶ光の比率となる。各損傷期間について１０個の毛髪の房を測定し、得られた値をＷｉｌｃｏｘｏｎ  Ｓｉｇｎｅｄ−Ｒａｎｋ  Ｔｅｓｔを用いて平均化する。
【００９８】
２．熱による毛髪損傷度の決定
個別の毛髪損傷を決定するには、個別の約１００本の毛髪を含む少なくとも１つの毛髪の房に２５０〜３００ｎｍの波長のＵＶ光を照射し、毛髪の房と相互作用した光を３００〜３５０ｎｍの波長範囲で検出し、反射および／または放出および／または透過および／または散乱されたＵＶ光に対する照射されたＵＶ光の比率が決定される。分光学的キャリブレーションモデルを使用して、２００℃の温度での理論上の損傷期間を取得した比率に割り当てる。これは、例えばタブレット、ラップトップまたはスマートフォンのアプリ／ソフトウェアで実行し得る。
【００９９】
理論上の毛髪損傷期間は、アプリ／ソフトウェアによって以下の熱毛髪損傷度に分類される。
【０１００】
【表１】
2020533577.tif 000003
【０１０１】
熱による毛髪損傷度に応じて、アプリ／ソフトウェアはブリーチ製品の推奨および／または染毛剤の推奨および／またはヘアケア製品の推奨および／またはヘアスタイリング製品の推奨を決定する。
【０１０２】
熱による毛髪損傷度に応じて、推奨されるブリーチ製品および／または染毛剤および／またはヘアケア製品および／またはヘアスタイリング製品は、以下の成分を含むべきである。
【０１０３】
【表２】
2020533577.tif 000004
【０１０４】
実施例２
１．分光学的キャリブレーションモデル（「トリプトファン含量」）
分光学的キャリブレーションモデルを決定するために、種々の熱毛髪損傷度（低い、中程度、高い、非常に高い）の毛髪の房に、最初に波長２７０〜２９０ｎｍの波長を有するＵＶ光を照射する。毛髪の束と相互作用した光は、２７０〜２９０ｎｍの波長範囲で検出される。次いでこの範囲に対して、検出されたＵＶ光に対する照射の比率を決定する。このようにして、各熱毛髪損傷度に対する特徴的なＵＶ吸収スペクトルが得られる。各熱毛髪損傷度に対して得られたスペクトルを平均化する。
【０１０５】
次いで、基本的な化学的消化後、各熱損傷度の毛髪の束を高速液体クロマトグラフィー（ＨＰＬＣ）により試験し、トリプトファン含量を測定する。各熱毛髪損傷度に対して得られた値を平均化する。
【０１０６】
各熱毛髪損傷度に対して平均化されたトリプトファン含量は、対応する平均化された吸収スペクトルに割り当てられる。
【０１０７】
２．熱による毛髪損傷度の決定
個別の熱による毛髪損傷を決定するため、個別の約１００本の毛髪を含む少なくとも１つの毛髪の房に２７０〜２９０ｎｍの波長のＵＶ光を照射し、毛髪の房と相互作用した光を２７０〜２９０ｎｍの波長範囲で検出する。分光学的キャリブレーションモデルを使用して、トリプトファン含量を得られた吸収スペクトルに割り当てる。これは、例えばタブレット、ラップトップまたはスマートフォンのアプリ／ソフトウェアで実行し得る。
【０１０８】
トリプトファン含量に応じて、アプリ／ソフトウェアは、ブリーチ製品の推奨および／または染毛剤の推奨および／またはヘアケア製品の推奨および／またはヘアスタイリング製品の推奨を決定する。
【図１】
2020533577.tif 000005
【国際調査報告】
2020533577.tif 000006
2020533577.tif 000007
2020533577.tif 000008
2020533577.tif 000009
2020533577.tif 000010
2020533577.tif 000011